(57)【要約】【課題】移動局装置がセカンダリセルの無線リンク障害を検出する場合に、効率的に当該セカンダリセルの無線リンク障害を検出できる通信システム、移動局装置、基地局装置、無線送信制御方法および集積回路を提供する。【解決手段】基地局装置は、移動局装置に対して第１のセルと第２のセルの無線リンク状態を管理するための制御パラメータを設定し、移動局装置は、第１のセルの無線リンク障害を検出する第１のレイヤと第２のセルの無線リンク障害を検出する第２のレイヤとを備え、第２のレイヤは、第２のレイヤに対して通知される無線リンク障害の検出に関する同期判定用情報に基づいて第２のセルの無線リンク障害の発生を検出した場合は第２のレイヤによって当該第２のセルの上りリンクの送信を停止し、第２のセルの無線リンク障害の発生の検出後に第２のセルの無線リンク障害の回復を検出した場合は前記第２のレイヤによって当該第２のセルの上りリンクの送信を再開する。【選択図】図３
2012138657.tif 000002
【特許請求の範囲】
【請求項１】
基地局装置と移動局装置とが、異なる複数の周波数のセルを集約して通信を行なう通信システムであって、
前記セルは、無線リンク障害の検出時に無線リンクの再確立手順を伴う第１のセルと前記無線リンクの再確立手順を伴わない第２のセルとに分類され、
前記基地局装置は、
前記移動局装置に対して、前記第１のセルと前記第２のセルの無線リンク状態を管理するための制御パラメータを設定し、
前記移動局装置は、
前記第１のセルの無線リンク障害を検出する第１のレイヤと、第１のレイヤによって制御される前記第２のセルの無線リンク障害を検出する第２のレイヤとを備え、
前記第２のレイヤは、前記第２のレイヤに対して通知される前記第２のセルの無線リンク障害の検出に関する同期判定用情報に基づいて前記第２のセルの無線リンク障害の発生を検出した場合は前記第２のレイヤによって当該第２のセルの上りリンクの送信を停止するように設定し、前記第２のセルの無線リンク障害の発生の検出後に前記第２のセルの無線リンク障害の回復を検出した場合は前記第２のレイヤによって当該第２のセルの上りリンクの送信を再開するように設定することを特徴とする通信システム。
【請求項２】
前記第２のレイヤは、前記同期判定用情報が一定回数連続して品質劣化を示した場合に開始されるタイマーが満了した場合に前記第２のセルの無線リンク障害の発生を検出し、前記タイマーが満了後に前記同期判定用情報が一定回数連続して品質回復を示した場合に前記第２のセルの無線リンク障害の回復を検出することを特徴とする請求項１に記載の通信システム。
【請求項３】
前記第２のレイヤは、所定の時間内に通知された前記同期判定用情報と、前記所定の時間内において設定された前記第２のセルの無線リンク障害の検出条件および前記第２のセルの無線リンク障害の回復条件とを比較し、前記いずれかの条件を満たした場合に前記第２のセルの無線リンク障害の発生または回復を検出することを特徴とする請求項１に記載の通信システム。
【請求項４】
前記第２のレイヤは、品質劣化または品質回復を示す前記同期判定用情報の連続検出回数と、前記第２のセルの無線リンク障害の検出条件および前記第２のセルの無線リンク障害の回復条件とを比較し、前記いずれかの条件を満たした場合に前記第２のセルの無線リンク障害の発生または回復を検出することを特徴とする請求項１に記載の通信システム。
【請求項５】
前記同期判定用情報は、物理レイヤにおいて計測されるプライマリセルの無線リンク障害の判定に対しても用いられる下りリンク同期通知と下りリンク同期誤り通知であることを特徴とする請求項１から３に記載の通信システム。
【請求項６】
前記同期判定用情報は、物理レイヤにおいて計測される前記第２のセルの上りリンクにおける予想送信電力と最大送信電力との差を示す情報であることを特徴とする請求項１から３に記載の通信システム。
【請求項７】
前記同期判定用情報は、物理レイヤにおいて計測される前記第２のセルの下りリンクにおける予想ブロック誤り率から計算されるチャネル情報指標であることを特徴とする請求項１から３に記載の通信システム。
【請求項８】
前記基地局装置は、前記移動局装置に設定した前記第１のセルの無線リンク障害を検出する前記第１のレイヤと、前記第１のレイヤによって制御される複数の前記第２のセルの無線リンク障害を検出する前記第２のレイヤのそれぞれに対して無線リンク状態を管理するための制御パラメータを通知することを特徴とする請求項１に記載の通信システム。
【請求項９】
基地局装置と移動局装置とが、異なる複数の周波数のセルを集約して通信を行なう通信システムにおける移動局装置であって、
前記セルを無線リンク障害の検出時に無線リンクの再確立手順を伴う第１のセルと前記無線リンクの再確立手順を伴わない第２のセルとに分類し、
前記第１のセルの無線リンク障害を検出する第１のレイヤと、第１のレイヤによって制御される前記第２のセルの無線リンク障害を検出する第２のレイヤとを備え、
前記第２のレイヤは、前記第２のレイヤに対して通知される前記第２のセルの無線リンク障害の検出に関する同期判定用情報に基づいて前記第２のセルの無線リンク障害の発生を検出した場合は前記第２のレイヤによって当該第２のセルの上りリンクの送信を停止するように設定し、前記第２のセルの無線リンク障害の発生の検出後に前記第２のセルの無線リンク障害の回復を検出した場合は前記第２のレイヤによって当該第２のセルの上りリンクの送信を再開するように設定することを特徴とする移動局装置。
【請求項１０】
前記第２のレイヤは、前記同期判定用情報が一定回数連続して品質劣化を示した場合に開始されるタイマーが満了した場合に前記第２のセルの無線リンク障害の発生を検出し、前記タイマーが満了後に前記同期判定用情報が一定回数連続して品質回復を示した場合に前記第２のセルの無線リンク障害の回復を検出することを特徴とする請求項９に記載の移動局装置。
【請求項１１】
前記第２のレイヤは、所定の時間内に通知された前記同期判定用情報と、前記所定の時間内において設定された前記第２のセルの無線リンク障害の検出条件および前記第２のセルの無線リンク障害の回復条件とを比較し、前記いずれかの条件を満たした場合に前記第２のセルの無線リンク障害の発生または回復を検出することを特徴とする請求項９に記載の移動局装置。
【請求項１２】
前記第２のレイヤは、品質劣化または品質回復を示す前記同期判定用情報の連続検出回数と、前記第２のセルの無線リンク障害の検出条件および前記第２のセルの無線リンク障害の回復条件とを比較し、前記いずれかの条件を満たした場合に前記第２のセルの無線リンク障害の発生または回復を検出することを特徴とする請求項９に記載の移動局装置。
【請求項１３】
前記同期判定用情報は、物理レイヤにおいて計測されるプライマリセルの無線リンク障害の判定に対しても用いられる下りリンク同期通知と下りリンク同期誤り通知であることを特徴とする請求項９から１２に記載の移動局装置。
【請求項１４】
前記同期判定用情報は、物理レイヤにおいて計測される前記第２のセルの上りリンクにおける予想送信電力と最大送信電力との差を示す情報であることを特徴とする請求項９から１２に記載の移動局装置。
【請求項１５】
前記同期判定用情報は、物理レイヤにおいて計測される前記第２のセルの下りリンクにおける予想ブロック誤り率から計算されるチャネル情報指標であることを特徴とする請求項９から１２に記載の移動局装置。
【請求項１６】
基地局装置と移動局装置とが、異なる複数の周波数のセルを集約して通信を行なう通信システムにおける基地局装置であって、
前記セルを無線リンク障害の検出時に無線リンクの再確立手順を伴う第１のセルと前記無線リンクの再確立手順を伴わない第２のセルとに分類し、
前記移動局装置に設定した前記第１のセルの無線リンク障害を検出する第１のレイヤと、前記第１のレイヤによって制御される複数の前記第２のセルの無線リンク障害を検出する第２のレイヤのそれぞれに対して無線リンク状態を管理するための制御パラメータを通知することを特徴とする基地局装置。
【請求項１７】
基地局装置と移動局装置とが、異なる複数の周波数のセルを集約して通信を行なう通信システムにおける移動局装置の無線送信制御方法であって、
前記セルを無線リンク障害の検出時に無線リンクの再確立手順を伴う第１のセルと前記無線リンクの再確立手順を伴わない第２のセルとに分類し、
前記第１のセルの無線リンク障害を検出する第１のレイヤと、第１のレイヤによって制御される前記第２のセルの無線リンク障害を検出する第２のレイヤとを備え、
前記第２のレイヤは、前記第２のレイヤに対して通知される前記第２のセルの無線リンク障害の検出に関する同期判定用情報に基づいて前記第２のセルの無線リンク障害の発生を検出した場合は前記第２のレイヤによって当該第２のセルの上りリンクの送信を停止するように設定し、前記第２のセルの無線リンク障害の発生の検出後に前記第２のセルの無線リンク障害の回復を検出した場合は前記第２のレイヤによって当該第２のセルの上りリンクの送信を再開するように設定することを特徴とする無線送信制御方法。
【請求項１８】
基地局装置と移動局装置とが、異なる複数の周波数のセルを集約して通信を行なう通信システムにおける移動局装置に搭載される集積回路であって、
前記セルを無線リンク障害の検出時に無線リンクの再確立手順を伴う第１のセルと前記無線リンクの再確立手順を伴わない第２のセルとに分類し、
前記第１のセルの無線リンク障害を検出する第１のレイヤと、第１のレイヤによって制御される前記第２のセルの無線リンク障害を検出する第２のレイヤとを備え、
前記第２のレイヤは、前記第２のレイヤに対して通知される前記第２のセルの無線リンク障害の検出に関する同期判定用情報に基づいて前記第２のセルの無線リンク障害の発生を検出した場合は前記第２のレイヤによって当該第２のセルの上りリンクの送信を停止するように設定し、前記第２のセルの無線リンク障害の発生の検出後に前記第２のセルの無線リンク障害の回復を検出した場合は前記第２のレイヤによって当該第２のセルの上りリンクの送信を再開するように設定することを特徴とする集積回路。
【発明の詳細な説明】
【技術分野】
【０００１】
本発明は、通信システム、移動局装置、基地局装置、無線送信制御方法および集積回路に関し、特に、移動局装置が複数の周波数を用いて基地局装置と無線接続している場合の無線送信制御方法に関する。
【背景技術】
【０００２】
標準化プロジェクトである３ＧＰＰ（3rd Generation Partnership Project）において、ＯＦＤＭ（Orthogonal Frequency-Division Multiplexing）通信方式やリソースブロックと呼ばれる所定の周波数・時間単位の柔軟なスケジューリングの採用によって、高速な通信を実現させたＥｖｏｌｖｅｄ  Ｕｎｉｖｅｒｓａｌ  Ｔｅｒｒｅｓｔｒｉａｌ  Ｒａｄｉｏ  Ａｃｃｅｓｓ（以降EUTRAと称する）が検討され、更にその発展形であるＡｄｖａｎｃｅｄ  ＥＵＴＲＡ（LTE-Advancedとも称される）の検討が進められている。
【０００３】
Ａｄｖａｎｃｅｄ  ＥＵＴＲＡでは、ＥＵＴＲＡとの互換性を維持しつつ、より高速なデータ伝送が可能な技術として、キャリア・アグリゲーション（Ｃａｒｒｉｅｒ  Ａｇｇｒｅｇａｔｉｏｎ）が提案されている。キャリア・アグリゲーションとは、複数の異なる周波数（キャリア周波数、コンポーネントキャリア（Ｃｏｍｐｏｎｅｎｔ  Ｃａｒｒｉｅｒ）とも称する）の送信装置から送信されたデータを、異なる周波数に対応する受信装置において受信することで、データレートを向上させる技術である。キャリア・アグリゲーションは、セル・アグリゲーションとも称されることもある。
【０００４】
なお、以後は下りリンク送信における受信装置のことを移動局装置、下りリンク送信における送信装置のことを基地局装置と記載し、上りリンク送信における受信装置のことを基地局装置、上りリンク送信における送信装置のことを移動局装置と記載するが、本発明の適用範囲はこれらの装置に限定する必要は無い。
【０００５】
ＥＵＴＲＡの移動局装置は、現在無線接続中の基地局装置（セル）との通信に問題が発生していないかについて、上位レイヤで無線リンク問題（Ｒａｄｉｏ  Ｌｉｎｋ  Ｐｒｏｂｌｅｍ）を検出することで判定している。無線リンク問題とは、下位レイヤ（物理レイヤおよびデータリンクレイヤ）で発生した問題（物理レイヤにおける物理レイヤ問題（Ｐｈｙｓｉｃａｌ  Ｌａｙｅｒ  Ｐｒｏｂｌｅｍ）またはデータリンクレイヤにおけるランダムアクセス問題（Ｒａｎｄｏｍ  Ａｃｃｅｓｓ  Ｐｒｏｂｌｅｍ））のことを示す。
【０００６】
物理レイヤ問題は、物理レイヤから通知される、受信している基地局装置の送信信号がある所定の受信品質を満たしているか否かの指標となる下りリンク同期誤り通知（ｏｕｔ−ｏｆ−ｓｙｎｃとも称する）、または下りリンク同期通知（ｉｎ−ｓｙｎｃとも称する）に基づいて、上位レイヤであるＲＲＣ（Ｒａｄｉｏ  Ｒｅｓｏｕｒｃｅ  Ｃｏｎｔｒｏｌ）で検出される。
【０００７】
また、ランダムアクセス問題は、プリアンブル送信回数が最大送信回数に達した場合にデータリンクレイヤのＭＡＣ（Ｍｅｄｉｕｍ  Ａｃｃｅｓｓ  Ｃｏｎｔｒｏｌ）で検出され、ＲＲＣへ通知される。ＭＡＣは、ランダムアクセス送信の管理、上りリンクの送信タイミングのずれの管理、バッファ状態の管理、最大送信電力と予測送信電力の差の報告（ＰＨＲ：Ｐｏｗｅｒ  Ｈｅａｄｒｏｏｍ  Ｒｅｐｏｒｔｉｎｇ）などを主に行なう。ＲＲＣは下位レイヤの状態の管理や、無線リソース制御の管理、移動制御などを主に行なう。また、ＲＲＣは、自ら検出した無線リンク問題、または下位レイヤから通知された無線リンク問題に基づいて、基地局装置との無線接続に誤りが発生したことを示す無線リンク障害（Ｒａｄｉｏ  Ｌｉｎｋ  ｆａｉｌｕｒｅ）を検出する。
【０００８】
Ａｄｖａｎｃｅｄ  ＥＵＴＲＡのキャリア・アグリゲーションで用いられるコンポーネントキャリアは、プライマリコンポーネントキャリア（PCC: Primary Component Carrier）とセカンダリコンポーネントキャリア（SCC: Secondary Component Carrier）とに分類され、移動局装置が下りリンクのＰＣＣで接続するセルをプライマリセル(PCell: Primary Cell)、下りリンクのＳＣＣで接続するセルをセカンダリセル（SCell: Secondary Cell）と呼ぶ。プライマリセルには上りリンクコンポーネントキャリアが必ず含まれるが、セカンダリセルには含まれない場合がある。また、無線リンク障害の検出はプライマリセルで行われるほか、上りリンクコンポーネントキャリアにおける送信電力調整の基準となるセカンダリセルについても無線リンク障害の検出を行うことが提案されている（非特許文献１）。
【０００９】
非特許文献１では、セカンダリセルにおいて下りリンクの無線リンクの監視を行い、無線リンク障害を検出した場合、当該セカンダリセルの上りリンクコンポーネントキャリアにおける移動局装置の無線送信を停止することで不要な干渉電波の発生が防止できることが述べられている。
【００１０】
さらに非特許文献２では、非特許文献１による無線送信を停止することに加えて、物理レイヤ問題が解消される状況となった場合、移動局装置が自律的に無線送信を再開するのではなく、基地局装置が明示的に当該セカンダリセルを、移動局装置による送受信が停止される不活性化（Ｄｅａｃｔｉｖａｔｉｏｎ）状態とし、次に移動局装置による送受信が行われる活性化（Ａｃｔｉｖａｔｉｏｎ）状態にすることによって無線送信を再開させることが提案されている。
【先行技術文献】
【非特許文献】
【００１１】
【非特許文献１】Ｒ４−１０３９６２，ＲＡＮ  ＷＧ４，３ＧＰＰ  ＴＳＧ−ＲＡＮ  ＷＧ４  Ｍｅｅｔｉｎｇ  ＃２０１０−０４，Ｘｉ’ａｎ，Ｃｈｉｎａ，１１ｔｈ−１５ｔｈ  Ｏｃｔｏｂｅｒ  ２０１０
【非特許文献２】Ｒ２−１０５３２１，Ｎｏｋｉａ  Ｓｉｅｍｅｎｓ  Ｎｅｔｗｏｒｋｓ，Ｎｏｋｉａ  Ｃｏｒｐｏｒａｔｉｏｎ，３ＧＰＰ  ＴＳＧ−ＲＡＮ  ＷＧ２  Ｍｅｅｔｉｎｇ  ＃７１ｂｉｓ，Ｘｉ’ａｎ，Ｃｈｉｎａ，１１ｔｈ−１５ｔｈ  Ｏｃｔｏｂｅｒ  ２０１０
【発明の概要】
【発明が解決しようとする課題】
【００１２】
非特許文献１や非特許文献２で提案されている方法は、従来のＥＵＴＲＡで行っていた無線リンク障害の検出方法をセカンダリセルに対して再利用することを提案している。しかしながら、従来のＥＵＴＲＡの移動局装置は、複数のセルの無線リンク障害を管理するような構造となっておらず、下位レイヤはプライマリセルとセカンダリセルとを区別して無線リンク問題、またはランダムアクセス問題を上位レイヤに通知しなければならない。そのため、セカンダリセルの無線リンク障害を検出するためには、下位レイヤだけではなく、上位レイヤにも大きな変更が必要であり、移動局装置の構造が複雑になるという問題があった。
【００１３】
上記の課題を鑑みて、本発明は、移動局装置がセカンダリセルの無線リンク障害を検出する場合に、効率的に当該セカンダリセルの無線リンク障害を検出できる通信システム、移動局装置、基地局装置、無線送信制御方法および集積回路を提供することを目的とする。
【課題を解決するための手段】
【００１４】
（１）上記の目的を達成するために、本発明は、以下のような手段を講じた。すなわち、本発明の通信システムは、基地局装置と移動局装置とが異なる複数の周波数のセルを集約して通信を行なう通信システムであって、前記セルは、無線リンク障害の検出時に無線リンクの再確立手順を伴う第１のセルと前記無線リンクの再確立手順を伴わない第２のセルとに分類され、前記基地局装置は、前記移動局装置に対して、前記第１のセルと前記第２のセルの無線リンク状態を管理するための制御パラメータを設定し、前記移動局装置は、前記第１のセルの無線リンク障害を検出する第１のレイヤと、第１のレイヤによって制御される前記第２のセルの無線リンク障害を検出する第２のレイヤとを備え、前記第２のレイヤは、前記第２のレイヤに対して通知される前記第２のセルの無線リンク障害の検出に関する同期判定用情報に基づいて前記第２のセルの無線リンク障害の発生を検出した場合は前記第２のレイヤによって当該第２のセルの上りリンクの送信を停止するように設定し、前記第２のセルの無線リンク障害の発生の検出後に前記第２のセルの無線リンク障害の回復を検出した場合は前記第２のレイヤによって当該第２のセルの上りリンクの送信を再開するように設定することを特徴とする。
【００１５】
（２）また、本発明の通信システムにおいて、前記第２のレイヤは、前記同期判定用情報が一定回数連続して品質劣化を示した場合に開始されるタイマーが満了した場合に前記第２のセルの無線リンク障害の発生を検出し、前記タイマーが満了後に前記同期判定用情報が一定回数連続して品質回復を示した場合に前記第２のセルの無線リンク障害の回復を検出することを特徴とする。
【００１６】
（３）また、本発明の通信システムにおいて、前記第２のレイヤは、所定の時間内に通知された前記同期判定用情報と、前記所定の時間内において設定された前記第２のセルの無線リンク障害の検出条件および前記第２のセルの無線リンク障害の回復条件とを比較し、前記いずれかの条件を満たした場合に前記第２のセルの無線リンク障害の発生または回復を検出することを特徴とする。
【００１７】
（４）また、本発明の通信システムにおいて、前記第２のレイヤは、品質劣化または品質回復を示す前記同期判定用情報の連続検出回数と、前記第２のセルの無線リンク障害の検出条件および前記第２のセルの無線リンク障害の回復条件とを比較し、前記いずれかの条件を満たした場合に前記第２のセルの無線リンク障害の発生または回復を検出することを特徴とする。
【００１８】
（５）また、本発明の通信システムにおいて、前記同期判定用情報は、物理レイヤにおいて計測されるプライマリセルの無線リンク障害の判定に対しても用いられる下りリンク同期通知と下りリンク同期誤り通知であることを特徴とする。
【００１９】
（６）また、本発明の通信システムにおいて、前記同期判定用情報は、物理レイヤにおいて計測される前記第２のセルの上りリンクにおける予想送信電力と最大送信電力との差を示す情報であることを特徴とする。
【００２０】
（７）また、本発明の通信システムにおいて、前記同期判定用情報は、物理レイヤにおいて計測される前記第２のセルの下りリンクにおける予想ブロック誤り率から計算されるチャネル情報指標であることを特徴とする。
【００２１】
（８）また、本発明の通信システムにおいて、前記基地局装置は、前記移動局装置に設定した前記第１のセルの無線リンク障害を検出する前記第１のレイヤと、前記第１のレイヤによって制御される複数の前記第２のセルの無線リンク障害を検出する前記第２のレイヤのそれぞれに対して無線リンク状態を管理するための制御パラメータを通知することを特徴とする。
【００２２】
（９）また、本発明の移動局装置は、基地局装置と移動局装置とが異なる複数の周波数のセルを集約して通信を行なう通信システムにおける移動局装置であって、前記セルを無線リンク障害の検出時に無線リンクの再確立手順を伴う第１のセルと前記無線リンクの再確立手順を伴わない第２のセルとに分類し、前記第１のセルの無線リンク障害を検出する第１のレイヤと、第１のレイヤによって制御される前記第２のセルの無線リンク障害を検出する第２のレイヤとを備え、前記第２のレイヤは、前記第２のレイヤに対して通知される前記第２のセルの無線リンク障害の検出に関する同期判定用情報に基づいて前記第２のセルの無線リンク障害の発生を検出した場合は前記第２のレイヤによって当該第２のセルの上りリンクの送信を停止するように設定し、前記第２のセルの無線リンク障害の発生の検出後に前記第２のセルの無線リンク障害の回復を検出した場合は前記第２のレイヤによって当該第２のセルの上りリンクの送信を再開するように設定することを特徴とする。
【００２３】
（１０）また、本発明の移動局装置において、前記第２のレイヤは、前記同期判定用情報が一定回数連続して品質劣化を示した場合に開始されるタイマーが満了した場合に前記第２のセルの無線リンク障害の発生を検出し、前記タイマーが満了後に前記同期判定用情報が一定回数連続して品質回復を示した場合に前記第２のセルの無線リンク障害の回復を検出することを特徴とする。
【００２４】
（１１）また、本発明の移動局装置において、前記第２のレイヤは、所定の時間内に通知された前記同期判定用情報と、前記所定の時間内において設定された前記第２のセルの無線リンク障害の検出条件および前記第２のセルの無線リンク障害の回復条件とを比較し、前記いずれかの条件を満たした場合に前記第２のセルの無線リンク障害の発生または回復を検出することを特徴とする。
【００２５】
（１２）また、本発明の移動局装置において、前記第２のレイヤは、品質劣化または品質回復を示す前記同期判定用情報の連続検出回数と、前記第２のセルの無線リンク障害の検出条件および前記第２のセルの無線リンク障害の回復条件とを比較し、前記いずれかの条件を満たした場合に前記第２のセルの無線リンク障害の発生または回復を検出することを特徴とする。
【００２６】
（１３）また、本発明の移動局装置において、前記同期判定用情報は、物理レイヤにおいて計測されるプライマリセルの無線リンク障害の判定に対しても用いられる下りリンク同期通知と下りリンク同期誤り通知であることを特徴とする。
【００２７】
（１４）また、本発明の移動局装置において、前記同期判定用情報は、物理レイヤにおいて計測される前記第２のセルの上りリンクにおける予想送信電力と最大送信電力との差を示す情報であることを特徴とする。
【００２８】
（１５）また、本発明の移動局装置において、前記同期判定用情報は、物理レイヤにおいて計測される前記第２のセルの下りリンクにおける予想ブロック誤り率から計算されるチャネル情報指標であることを特徴とする。
【００２９】
（１６）また、本発明の基地局装置は、基地局装置と移動局装置とが異なる複数の周波数のセルを集約して通信を行なう通信システムにおける基地局装置であって、前記セルを無線リンク障害の検出時に無線リンクの再確立手順を伴う第１のセルと前記無線リンクの再確立手順を伴わない第２のセルとに分類し、前記移動局装置に設定した前記第１のセルの無線リンク障害を検出する第１のレイヤと、前記第１のレイヤによって制御される複数の前記第２のセルの無線リンク障害を検出する第２のレイヤのそれぞれに対して無線リンク状態を管理するための制御パラメータを通知することを特徴とする。
【００３０】
（１７）また、本発明の無線送信制御方法は、基地局装置と移動局装置とが異なる複数の周波数のセルを集約して通信を行なう通信システムにおける移動局装置の無線送信制御方法であって、前記セルを無線リンク障害の検出時に無線リンクの再確立手順を伴う第１のセルと前記無線リンクの再確立手順を伴わない第２のセルとに分類し、前記第１のセルの無線リンク障害を検出する第１のレイヤと、第１のレイヤによって制御される前記第２のセルの無線リンク障害を検出する第２のレイヤとを備え、前記第２のレイヤは、前記第２のレイヤに対して通知される前記第２のセルの無線リンク障害の検出に関する同期判定用情報に基づいて前記第２のセルの無線リンク障害の発生を検出した場合は前記第２のレイヤによって当該第２のセルの上りリンクの送信を停止するように設定し、前記第２のセルの無線リンク障害の発生の検出後に前記第２のセルの無線リンク障害の回復を検出した場合は前記第２のレイヤによって当該第２のセルの上りリンクの送信を再開するように設定することを特徴とする。
【００３１】
（１８）また、本発明の集積回路は、基地局装置と移動局装置とが異なる複数の周波数のセルを集約して通信を行なう通信システムにおける移動局装置に搭載される集積回路であって、前記セルを無線リンク障害の検出時に無線リンクの再確立手順を伴う第１のセルと前記無線リンクの再確立手順を伴わない第２のセルとに分類し、前記第１のセルの無線リンク障害を検出する第１のレイヤと、第１のレイヤによって制御される前記第２のセルの無線リンク障害を検出する第２のレイヤとを備え、前記第２のレイヤは、前記第２のレイヤに対して通知される前記第２のセルの無線リンク障害の検出に関する同期判定用情報に基づいて前記第２のセルの無線リンク障害の発生を検出した場合は前記第２のレイヤによって当該第２のセルの上りリンクの送信を停止するように設定し、前記第２のセルの無線リンク障害の発生の検出後に前記第２のセルの無線リンク障害の回復を検出した場合は前記第２のレイヤによって当該第２のセルの上りリンクの送信を再開するように設定することを特徴とする。
【００３２】
本明細書では、移動局装置と基地局装置が複数の周波数を用いて接続される場合における通信システム、基地局装置、移動局装置、無線送信制御方法および集積回路の改良という点において本発明を開示するが、本発明が適用可能な通信方式は、ＥＵＴＲＡまたはＡｄｖａｎｃｅｄ  ＥＵＴＲＡのようにＥＵＴＲＡと上位互換性のある通信方式に限定されるものではない。例えば、本発明はＵＭＴＳ（Universal Mobile Telecommunications System）にも適用することができる。
【発明の効果】
【００３３】
以上説明したように、本発明によれば、移動局装置がセカンダリセルの無線リンク障害を検出する場合に、効率的に当該セカンダリセルの無線リンク障害を検出できる通信システム、移動局装置、基地局装置、無線送信制御方法および集積回路を提供することができる。
【図面の簡単な説明】
【００３４】
【図１】本発明の実施形態に係る移動局装置１の一例を示したブロック図である。
【図２】本発明の実施形態に係る基地局装置２の一例を示したブロック図である。
【図３】本発明の実施形態１における無線リンク問題を検出した場合のセカンダリセルの無線リンク管理方法の一例について説明するための図である。
【図４】本発明の実施形態２における無線リンク問題を検出した場合のセカンダリセルの無線リンク管理方法の別の一例について説明するための図である。
【図５】本発明の実施形態３における無線リンク問題を検出した場合のセカンダリセルの無線リンク管理方法の一例について説明するための図である。
【図６】従来の下りリンクの無線リンクに関する制御方法について説明した図である。
【図７】本発明の実施形態に係る通信ネットワーク構成の一例を示す図である。
【図８】本発明の実施形態に係る移動局装置１に対するコンポーネントキャリアの設定の一例を示した図である。
【図９】本発明の実施形態に係る移動局装置１のレイヤ構成の一例について示した図である。
【発明を実施するための形態】
【００３５】
本発明の実施形態を説明する前に、本発明に関する物理チャネルと物理レイヤ問題、ランダムアクセス問題、キャリア・アグリゲーションについて説明する。
【００３６】
（１）物理チャネル
ＥＵＴＲＡおよびＡｄｖａｎｃｅｄ  ＥＵＴＲＡで使用される物理チャネル（または物理シグナル）について説明を行なう。物理チャネルは、基地局装置から移動局装置へ送信される下りリンクにおける下りリンクチャネルと、移動局装置から基地局装置へ送信される上りリンクにおける上りリンクチャネルとが存在する。物理チャネルは、ＥＵＴＲＡ、およびＡｄｖａｎｃｅｄ  ＥＵＴＲＡにおいて、今後追加、または、その構造が変更される可能性もあるが、変更された場合でも本発明の各実施形態の説明には影響しない。
【００３７】
同期シグナル（Synchronization Signals）は、３種類のプライマリ同期シグナルと、周波数領域で互い違いに配置される３１種類の符号から構成されるセカンダリ同期シグナルとで構成され、プライマリ同期シグナルとセカンダリ同期シグナルの信号の組み合わせによって、基地局装置を識別する５０４通りのセル識別子（セルＩＤ：Physical Cell Identity; PCI）と、無線同期のためのフレームタイミングが示される。移動局装置は、セルサーチによって受信した同期シグナルのセルＩＤを特定する。
【００３８】
物理報知情報チャネル（PBCH; Physical Broadcast Channel）は、セル内の移動局装置で共通に用いられる制御パラメータ（報知情報（システム情報）；System information）を通知する目的で送信される。物理報知情報チャネルで通知されない報知情報は、下りリンク制御チャネルで無線リソースが通知され、下りリンクデータチャネルを用いてレイヤ３メッセージで送信される。報知情報として、セル個別の識別子を示すセルグローバル識別子（CGI; Cell Global Identifier）、ページングによる待ち受けエリアを管理するトラッキングエリア識別子（TAI; Tracking Area Identifier）などが通知される。
【００３９】
下りリンクリファレンスシグナルは、セル毎に所定の電力で送信されるパイロットシグナルである。また、下りリンクリファレンスシグナルは、所定の規則に基づき周波数・時間位置で周期的に繰り返される既知の信号である。移動局装置は、下りリンクリファレンスシグナルを受信することでセル毎の受信品質を測定する。また、移動局装置は、下りリンクリファレンスシグナルと同時に送信される下りリンク制御チャネル、または下りリンクデータチャネルの復調のための参照用の信号としても下りリンクリファレンスシグナルを使用する。下りリンクリファレンスシグナルに使用される系列は、セル毎に識別可能な系列が用いられる。なお、下りリンクリファレンスシグナルはセル固有ＲＳ（Cell-specific reference signals）と記載される場合もあるが、その用途と意味は同じである。
【００４０】
物理下りリンク制御チャネル（PDCCH; Physical Downlink Control Channel）は、各サブフレームの先頭からいくつかのＯＦＤＭシンボルで送信され、移動局装置に対して基地局装置のスケジューリングに従った無線リソース割り当て情報や、送信電力の増減の調整量を指示する目的で使用される。移動局装置は、下りリンクデータや下りリンク制御データであるレイヤ３メッセージ（ページング、ハンドオーバーコマンドなど）を送受信する前に自局宛の物理下りリンク制御チャネルを監視（モニタ）し、自局宛の物理下りリンク制御チャネルを受信することで、送信時には上りリンクグラント、受信時には下りリンクグラント（下りリンクアサインメント）と呼ばれる無線リソース割り当て情報を物理下りリンク制御チャネルから取得する必要がある。
【００４１】
物理上りリンク制御チャネル（PUCCH; Physical Uplink Control Channel）は、物理下りリンク共用チャネルで送信されたデータの受信確認応答（ＡＣＫ／ＮＡＣＫ：Ａｃｋｎｏｗｌｅｄｇｅｍｅｎｔ／Ｎｅｇａｔｉｖｅ  Ａｃｋｎｏｗｌｅｄｇｅｍｅｎｔ）や下りリンクの伝搬路情報（ＣＱＩ：Ｃｈａｎｎｅｌ  Ｑｕａｌｉｔｙ  Ｉｎｄｉｃａｔｏｒ）、上りリンクの無線リソース要求であるスケジューリングリクエスト（ＳＲ：Ｓｃｈｅｄｕｌｉｎｇ  Ｒｅｑｕｅｓｔ）を行なうために使用される。
【００４２】
物理下りリンク共用チャネル（PDSCH; Physical Downlink Shared Channel）は、下りリンクデータの他、下りリンク制御データであるレイヤ３メッセージとしてページングや報知情報を通知するためにも使用される。物理下りリンク共用チャネルの無線リソース割り当て情報は、物理下りリンク制御チャネルで示される。
【００４３】
物理上りリンク共用チャネル（PUSCH; Physical Uplink Shared Channel）は、主に上りリンクデータと上りリンク制御データを送信し、下りリンクの受信品質やＡＣＫ／ＮＡＣＫなどの制御データを含めることも可能である。また、下りリンクと同様に物理上りリンク共用チャネルの無線リソース割り当て情報は、物理下りリンク制御チャネルで示される。
【００４４】
物理ランダムアクセスチャネル（PRACH; Physical Random Access Channel）は、プリアンブル系列を通知するために使用されるチャネルであり、ガードタイムを持つ。プリアンブル系列は、６４種類のシーケンスを用意して６ビットの情報を表現するように構成されている。物理ランダムアクセスチャネルは、移動局装置の基地局装置へのアクセス手段として用いられる。移動局装置は、物理上りリンク制御チャネル未設定時の無線リソース要求や、上りリンク送信タイミングを基地局装置の受信タイミングウィンドウに合わせるために必要な送信タイミング調整情報（タイミングアドバンス（ＴＡ：Ｔｉｍｉｎｇ  Ａｄｖａｎｃｅ）とも呼ばれる）を基地局装置に要求するために物理ランダムアクセスチャネルを用いる。
【００４５】
具体的には、移動局装置は、基地局装置より設定された物理ランダムアクセスチャネル用の無線リソースを用いてプリアンブル系列を送信する。送信タイミング調整情報を受信した移動局装置は、送信タイミング調整情報の有効時間を計時する送信タイミングタイマー（ＴＡ  ｔｉｍｅｒ）を設定し、有効時間中は送信タイミング調整状態、有効期間外は、送信タイミング非調整状態として状態を管理する。
【００４６】
上りリンクリファレンスシグナルは、リソースブロック内の特定のＯＦＤＭシンボルに配置され、周期的、または物理下りリンク制御チャネルの指示により非周期的に送信される。上りリンクリファレンスシグナルは、上りリンクのチャネル状況や上りリンクのタイミング計算などに用いられるサウンディングリファレンスシグナルと、上りリンクデータと共に送信させる復調用リファレンスシグナルとがある。なお、それ以外の物理チャネルは、本発明の各実施形態に関わらないため詳細な説明は省略する。
【００４７】
（２）物理レイヤ問題
図６は、従来用いられている物理レイヤ問題に関する無線リンク制御手順の一例であり、時間の経過に伴う制御手順の違いを示している。移動局装置は、受信中の下りリンクチャネルのいずれかの受信品質と所定の閾値とを比較することで下りリンクの無線リンク状態および関連する制御内容を管理する。受信品質と閾値との比較は典型的には物理レイヤで実施され、下りリンクの無線リンク状態および関連する制御内容は典型的にはＲＲＣで管理される。
【００４８】
図６は、移動局装置が、物理レイヤで下りリンク同期誤り通知検出後に下りリンクの受信品質が回復せず、再接続（同一セルまたは別のセルで再度無線リソース接続を確立すること）されずにアイドル状態（移動局装置が基地局装置と無線リソース接続されていない状態）に遷移する場合の、移動局装置の下りリンクの無線リンク制御を示した一例である。
【００４９】
図６における区間Ａ〜区間Ｄでの移動局装置の動作について説明する。区間Ａとは、下りリンク同期誤り通知が検出されていない状態（下りリンク同期通知が検出されている、または何も検出されていない状態）を示し、移動局装置は、基地局装置との通信を通常と同じように行っている。移動局装置は、区間Ａで下りリンク同期誤り通知が一度でも検出されると、区間Ｂにおける制御へと動作を変更する。区間Ｂとは、下りリンク同期誤り通知が上位レイヤで一回以上検出されているが、後述する同期保護タイマーが起動していない状態を示す。移動局装置は、区間Ｂにおいて下りリンク同期誤り通知の連続検出回数をカウントする。
【００５０】
移動局装置は、区間Ｂで下りリンク同期通知が一度でも検出されたときは区間Ａの制御へと動作を変更する。区間Ｃとは、区間Ｂにおいて一定回数連続して下りリンク同期誤り通知が検出された、または一定時間連続して下りリンク同期誤り通知が検出されたことで、無線リンク問題（物理レイヤ問題）が検出された状態を示す。移動局装置は、区間Ｃの長さを計時するタイマー（同期保護タイマー）を開始し、当該タイマーが満了するまでに下りリンクの受信品質が回復するかを監視する。つまり、換言すると同期保護タイマーの開始から満了まで制御区間が区間Ｃを示す。また、下りリンクの受信品質の回復とは、区間Ｃにおいて、上位レイヤにおいて下りリンク同期通知が所定回数連続して検出されること、または一定時間連続して下りリンク同期通知が検出されることである。移動局装置は、下りリンクの受信品質が回復した場合、区間Ａの制御を実行する。
【００５１】
区間Ｄとは、同期保護タイマーが満了しても下りリンクチャネルの受信品質が回復せずに、下りリンクの品質劣化を示す無線リンク障害に至ったと判定されたときに開始される。移動局装置は、区間Ｄの長さを計時する再接続タイマーを開始し、無線リソース接続の再確立を試みる。区間Ｄにおいて、移動局装置は受信品質の良好なセルを選択するセルリセレクション手順を行う。セルリセレクション手順により、良好なセルを選択した移動局装置は、ランダムアクセス手順を開始し、前記良好なセルに対してＲＲＣ再確立要求メッセージ（無線リソース接続再確立要求メッセージ）を通知する。移動局装置は、前記再接続タイマーが満了するまでに、ＲＲＣ再確立要求メッセージに対する許可が基地局装置から通知されなかった場合、無線リソース接続の再確立に失敗したと判定して保持していた無線リソースを解放し、基地局装置と無線リソース接続されていないアイドル状態区間へと遷移する。
【００５２】
（３）ランダムアクセス問題
移動局装置は、ランダムアクセスチャネルの送信試行回数をカウントすることでデータリンクレイヤにおけるランダムアクセス問題を管理する。このデータリンクレイヤにおけるランダムアクセスチャネルの送信試行回数のカウントは典型的にはＭＡＣで実施され、ランダムアクセス問題はＲＲＣで管理される。
【００５３】
移動局装置は基地局装置に対して何れかのランダムアクセスチャネルの送信理由が発生した場合に、ランダムに選択したプリアンブル系列、または基地局装置が割り当てたプリアンブル系列を、ランダムアクセスチャネルを用いて基地局装置へと送信する。このとき、基地局装置がランダムアクセスチャネルを識別できないなどの理由で一定時間内に基地局装置からランダムアクセスチャネルに対する応答が返ってこない場合、移動局装置は、再びランダムアクセスチャネルを送信する。移動局装置は、ランダムアクセスチャネルの送信回数をカウントし、送信回数が規定値（最大送信回数）を超えた場合に上りリンクの品質劣化を示すランダムアクセス問題が検出されたと判定する。なお、移動局装置はランダムアクセス問題を検出しても、ランダムアクセスの停止などの指示が出されるまでは基地局装置に対して同じパラメータでランダムアクセスチャネルを送信し続ける。ランダムアクセスの停止の指示は、典型的にはＲＲＣからＭＡＣに対して行なわれる。
【００５４】
（４）キャリア・アグリゲーション
キャリア・アグリゲーションとは、複数の異なる周波数（コンポーネントキャリア）を集約（アグリゲーション）して一つの周波数帯域のように扱う技術である。例えば、キャリア・アグリゲーションによって周波数帯域幅が２０ＭＨｚのコンポーネントキャリアを５つ集約した場合、移動局装置は１００ＭＨｚの周波数帯域幅とみなしてアクセスすることが可能となる。なお、集約するコンポーネントキャリアは連続した周波数であっても、全てまたは一部が不連続となる周波数であってもよい。例えば、使用可能な周波数が８００ＭＨｚ帯域、２．４ＧＨｚ帯域、３．４ＧＨｚ帯域である場合、ある一つのコンポーネントキャリアが８００ＭＨｚ帯域、別のコンポーネントキャリアが２ＧＨｚ帯域、さらに別のコンポーネントキャリアが３．４ＧＨｚ帯域で送信されていてもよい。
【００５５】
また、同一周波数帯、例えば２．４ＧＨｚ帯内の連続または不連続のコンポーネントキャリアを集約することも可能である。各コンポーネントキャリアの周波数帯域幅は２０ＭＨｚより狭い周波数帯域幅であっても良く、各々周波数帯域幅が異なっていても良い。基地局装置は、滞留しているデータバッファ量や移動局装置の受信品質の報告、セル内の負荷やＱｏＳなどの種々の要因に基づいて、移動局装置に割り当てる上りリンクまたは下りリンクのコンポーネントキャリアの数を増減することができる。なお、基地局装置が割り当てる上りリンクコンポーネントキャリアの数は、下りリンクコンポーネントキャリアの数と同じか少ないことが望ましい。
【００５６】
また、基地局装置からこれらのコンポーネントキャリアの活性化（ａｃｔｉｖａｔｉｏｎ）が明示的または暗黙的に指示されている場合、移動局装置は活性化されたコンポーネントキャリアを用いて通信を行うことができる。一方、コンポーネントキャリアの不活性化（ｄｅａｃｔｉｖａｔｉｏｎ）が明示的または暗黙的に指示されている場合、移動局装置は不活性化されたコンポーネントキャリアで下りリンク受信と上りリンク送信を行うことはできない。不活性化は、下りリンクと上りリンクとをペアとして管理しても良いし、独立して管理しても良い。
【００５７】
ここで、コンポーネントキャリアの活性化、または不活性化は、レイヤ２の構成タスクで解釈可能なＬ２メッセージ（レイヤ２メッセージ）によって制御されるように構成される。すなわち、物理レイヤ（レイヤ１）でデコードされた後にレイヤ２で認識される制御コマンドによってコンポーネントキャリアの活性化または不活性化が制御される。なお、ＥＵＴＲＡならびにＡｄｖａｎｃｅｄ  ＥＵＴＲＡにおけるＬ２メッセージは、ＭＡＣにおいて実行される制御コマンド（ＭＡＣ制御要素：ＭＡＣ  Ｃｏｎｔｒｏｌ  Ｅｌｅｍｅｎｔ）によって通知される。
【００５８】
[本発明の通信ネットワーク構成の例]
図７は、本発明の実施形態に係る通信ネットワーク構成の一例を示す図である。移動局装置１は、キャリア・アグリゲーションによって複数の周波数（コンポーネントキャリア、Band1~Band3）を同時に用いて基地局装置２と無線接続することが可能な場合、通信ネットワーク構成としては、ある一つの基地局装置２が複数の周波数毎に送信装置１１〜１３（および図示しない受信装置２１〜２３）を備えており、各周波数の制御を一つの基地局装置２で行なう構成が制御の簡略化の観点から好適である。ただし、複数の周波数が連続する周波数であるなどの理由で、基地局装置２が一つの送信装置で複数の周波数の送信を行なう構成であっても構わない。基地局装置２の送信装置によって制御される各周波数の通信可能範囲はセルとしてみなされ、空間的に同一のエリアに存在する。このとき、各周波数がカバーするエリア（セル）はそれぞれ異なる広さ、異なる形状であっても良い。
【００５９】
ただし、後述する記載において、基地局装置２が形成するコンポーネントキャリアの周波数でカバーされるエリアのことをそれぞれセルと称して説明するが、これは実際に運用される通信システムにおけるセルの定義とは異なる可能性があることに注意する。例えば、ある通信システムでは、キャリア・アグリゲーションによって用いられるコンポーネントキャリアの一部のことを、セルではなく単なる追加の無線リソースと定義するかもしれない。本発明でコンポーネントキャリアをセルと称することで、実際に運用される通信システムにおけるセルの定義と異なる場合が発生したとしても、本発明の主旨には影響しない。なお、移動局装置１は、リレー局装置（またはリピーター）を介して基地局装置２と無線接続されても良い。すなわち、本発明の基地局装置２は、リレー局装置に置き換えることができる。
【００６０】
なお、３ＧＰＰが規定する第３世代の基地局装置２はＮｏｄｅＢ（ＮＢ）と称され、ＥＵＴＲＡおよびＡｄｖａｎｃｅｄ  ＥＵＴＲＡにおける基地局装置はｅＮｏｄｅＢ（ｅＮＢ）と称される。なお、３ＧＰＰが規定する第３世代の移動局装置１はＵＥ（Ｕｓｅｒ  Ｅｑｕｉｐｍｅｎｔ）と称される。基地局装置２は移動局装置１が通信可能なエリアであるセルを管理し、セルは移動局装置１と通信可能なエリアの大きさに応じてマクロセルやフェムトセルやピコセル、ナノセルとも称される。また、移動局装置１がある基地局装置２と通信可能であるとき、その基地局装置２のセルのうち、移動局装置１との通信に使用しているセルは在圏セル（Serving cell）であり、その他のセルは周辺セル（Neighboring cell）と称される。つまり、キャリア・アグリゲーションを用いて移動局装置１と基地局装置２が複数のセルを用いて通信している場合、在圏セルは複数存在することになる。
【００６１】
[コンポーネントキャリアの構成の設定例]
図８は、本発明の実施形態に係る移動局装置１がキャリア・アグリゲーションを行なう場合に、基地局装置２が移動局装置１に対して設定する下りリンクコンポーネントキャリアと、上りリンクコンポーネントキャリアの対応関係の一例を示した図である。図８中の下りリンクコンポーネントキャリアＤＬ＿ＣＣ１と上りリンクコンポーネントキャリアＵＬ＿ＣＣ１はセル固有接続（Ｃｅｌｌ  Ｓｐｅｃｉｆｉｃ  Ｌｉｎｋａｇｅ）している。セル固有接続とは、例えば、移動局装置１がキャリア・アグリゲーションしていない場合に、基地局装置２にアクセス可能な上りリンクと下りリンクの周波数の対応関係（連携関係）であり、典型的には報知情報でその対応関係が示される。
【００６２】
上りリンクと下りリンクの周波数の対応関係は、報知情報に周波数情報として明示的に指示されるか、または明示的に指示されない場合に運用周波数毎に一意に決められる上りリンクと下りリンクの規定の周波数差の情報を用いるなどして暗黙的に指示される。これらの方法に限らず、セル毎に上りリンクと下りリンクの周波数の対応関係を示すことが可能であれば、これ以外の方法を用いて指示されても良い。
【００６３】
これに対し、基地局装置２は、下りリンクコンポーネントキャリアと上りリンクコンポーネントキャリアの対応関係を、セル固有接続とは別に移動局装置１毎に個別に設定（個別接続；ＵＥ  Ｓｐｅｃｉｆｉｃ  Ｌｉｎｋａｇｅ）することも可能である。個別接続は、基地局装置から下りリンクコンポーネントキャリアと上りリンクコンポーネントキャリアが追加されるときに同時に設定される。
【００６４】
図８の場合、ある移動局装置１が無線接続される上りリンクコンポーネントキャリアＵＬ＿ＣＣ２に対し、下りリンクコンポーネントキャリアＤＬ＿ＣＣ２が個別接続されている。また、下りリンクコンポーネントキャリアＤＬ＿ＣＣ３は、対応する上りリンクコンポーネントキャリアが接続されずに設定されている。この場合、移動局装置１はＤＬ＿ＣＣ１〜ＤＬ＿ＣＣ３で受信処理を行い、ＵＬ＿ＣＣ１およびＵＬ＿ＣＣ２で送信処理を行う。すなわち、ＤＬ＿ＣＣ１〜ＤＬ＿ＣＣ３とＵＬ＿ＣＣ１〜ＵＬ＿ＣＣ２は、移動局装置１が基地局装置２との通信に用いる接続コンポーネントキャリアであり、ＵＬ＿ＣＣ３は、移動局装置１が基地局装置２との通信に用いない非接続コンポーネントキャリアである。典型的にはプライマリセルの上りリンクと下りリンクはセル固有接続され、セカンダリセルの上りリンクと下りリンクは個別接続される。
【００６５】
さらに、上りリンクコンポーネントキャリアで移動局装置１が送信する際の送信電力調整には、下りリンクコンポーネントキャリアの受信品質（基地局装置２から送信された無線信号の電力が移動局装置１で受信されるまでに減衰した量を示すパスロス値など）が用いられる。プライマリセルの送信電力調整には、当該プライマリセルの下りリンクの受信品質が用いられる。一方、セカンダリセルの送信電力調整には、プライマリセルか当該セカンダリセルの下りリンクの受信品質のいずれか一方に基づく。セカンダリセルの送信電力調整のために、プライマリセルと当該セカンダリセルの何れの下りリンクの受信品質を利用するかは、報知情報あるいは移動局装置１毎にセカンダリセルを設定する際の個別のレイヤ３メッセージ（ＲＲＣメッセージ）によって、基地局装置２から移動局装置１へ通知される。
【００６６】
[移動局装置のレイヤ構成の設定例]
図９は、移動局装置１における、ＲＲＣ（ＲＲＣレイヤ）とＭＡＣ（ＭＡＣレイヤ）、物理レイヤのレイヤ構成（プロトコルスタック）とレイヤ間インターフェースの一例を示したものである。ＲＲＣはＭＡＣと物理レイヤの上位レイヤであり、ＭＡＣはＲＲＣの下位レイヤであり、物理レイヤの上位レイヤである。各レイヤ間は、制御インターフェースＰ１〜Ｐ３と、データインターフェースＰ４〜Ｐ５を用いて接続されている。ＲＲＣ−物理レイヤ間制御インターフェースＰ１は、ＲＲＣから物理レイヤへ制御パラメータを設定するためや、物理レイヤからＲＲＣへ下りリンク同期誤り通知や下りリンク同期通知を通知するために使用される。ＲＲＣ−ＭＡＣ間制御インターフェースＰ２は、ＲＲＣからＭＡＣへ制御パラメータを設定するためや、ＭＡＣからＲＲＣへランダムアクセス問題を通知するために使用される。
【００６７】
ＭＡＣ−物理レイヤ間制御インターフェースＰ３は、ＭＡＣから物理レイヤへ制御パラメータを設定するために用いられる。また、ＭＡＣ−物理レイヤ間データインターフェースＰ４はＭＡＣから物理レイヤへ送信データを通知するためや、物理レイヤからＭＡＣへ受信データを通知するために用いられる。ＭＡＣ−物理レイヤ間制御インターフェースＰ３は、物理レイヤからＭＡＣへ下りリンク同期誤り通知や下りリンク同期通知、ＰＨＲ、ＣＱＩを通知するためにも用いられる。ＲＲＣ−ＭＡＣ間データインターフェースＰ５は、ＲＲＣからＭＡＣへ送信データを通知するためや、ＭＡＣからＲＲＣへ受信データを通知するために用いられる。なお、実際の移動局装置１の構成として、ＲＲＣとＭＡＣの間にＲＬＣ（Ｒａｄｉｏ  Ｌｉｎｋ  Ｃｏｎｔｒｏｌ）やＰＤＣＰ（Ｐａｃｋｅｔ  Ｄａｔａ  Ｃｏｎｖｅｒｇｅｎｃｅ  Ｐｒｏｔｏｃｏｌ）などのデータ制御機能をもつエンティティやサブレイヤが含まれる場合があるが、その場合であっても本発明の主旨には影響しない。
【００６８】
以上の事項を考慮しつつ、以下、添付図面に基づき、本発明の好適な実施形態について詳細に説明する。なお、本発明の説明において、本発明に関連した公知の機能や構成についての具体的な説明が、本発明の要旨を不明瞭にすると判定される場合には、その詳細な説明を省略する。
【００６９】
＜第１の実施形態＞
本発明の第１の実施形態について以下に説明する。本実施形態は、キャリア・アグリゲーション中の移動局装置１がセカンダリセルの無線送信制御を効率的に行う方法に関する。
【００７０】
図１は、本発明の実施形態に係る移動局装置１の一例を示すブロック図である。本移動局装置１は、受信部１０１、復調部１０２、復号部１０３、測定処理部１０４、制御部１０５、ランダムアクセス処理部１０６、符号部１０７、変調部１０８、送信部１０９、上位レイヤ１１０から構成される。受信に先立ち、上位レイヤ１１０より制御部１０５へ移動局装置制御情報が入力され、受信に関する移動局装置制御情報が受信制御情報として、受信部１０１、復調部１０２、復号部１０３、測定処理部１０４へ適切に入力される。受信制御情報は、受信スケジュール情報として、復調情報、復号化情報、受信周波数の情報、受信周波数帯域幅の情報、各チャネルに関する受信タイミング、多重方法、無線リソース配置情報などの情報が含まれている。
【００７１】
受信信号は、受信部１０１において受信される。受信部１０１は、受信制御情報で通知された周波数で信号を受信する。受信信号は復調部１０２へと入力される。復調部１０２は、受信信号を復調して復号部１０３へと受信信号を出力する。復号部１０３は、受信制御情報に基づき受信信号を正しく復号する。復号部１０３は、受信信号を下りリンクトラフィックデータと下りリンク制御データに適切に分離し、それぞれ上位レイヤ１１０へ出力する。また、復号部１０３は測定に関する復号した受信信号を測定処理部１０４へ出力する。測定処理部１０４は、セル毎の下りリンクリファレンスシグナルの受信品質の測定処理や、下りリンク制御チャネルまたは下りリンクデータチャネルの受信誤り率の測定処理、下りリンクの受信品質とチャネル情報指標（ＣＱＩ）とのマッピング、予測送信電力と最大送信電力との差（ＰＨＲ）の計算（測定、計測）結果などから同期判定用情報を生成し、上位レイヤ１１０へ出力する。
【００７２】
上位レイヤ１１０はＲＲＣとＭＡＣとを含み、本実施形態において、プライマリセルの同期判定情報はＲＲＣへ出力される一方、セカンダリセルの同期判定用情報はＭＡＣへと出力される。また、測定処理部１０４は、下りリンクリファレンスシグナルを測定することで得られる受信品質から下りリンク測定情報を上位レイヤ１１０へ出力する。
【００７３】
また、送信に先立ち、割り当てられたコンポーネントキャリアの活性化状況や上位レイヤ１１０から入力されるセカンダリセル障害の発生や回復に関する通知に基づき、無線送信の可否が制御部１０５へ出力される。本実施形態において、プライマリセルの無線リンク障害はＲＲＣで検出され、セカンダリセル障害の発生や回復、無線送信の可否はＭＡＣで検出される。さらに制御部１０５へは、上位レイヤ１１０より移動局装置制御情報が入力され、前記無線送信の可否状況に基づき、送信に関する移動局装置制御情報が送信制御情報として、ランダムアクセス処理部１０６、符号部１０７、変調部１０８、送信部１０９へ適切に入力される。送信制御情報は、送信信号の上りリンクスケジューリング情報として、符号化情報、変調情報、送信周波数の情報、送信周波数帯域幅の情報、各チャネルに関する送信タイミング、多重方法、無線リソース配置情報などの情報が含まれている。
【００７４】
ランダムアクセス処理部１０６には、上位レイヤ１１０からランダムアクセスの無線リソース情報や最大送信回数などのランダムアクセスチャネルの送信に必要なランダムアクセス情報が入力される。また、ランダムアクセス処理部１０６は、ランダムアクセスチャネルの送信回数をカウントすることで、ランダムアクセス問題を検出した場合、ランダムアクセス問題が発生したことを示すランダムアクセス問題情報を上位レイヤ１１０へ通知する。符号部１０７には、上位レイヤ１１０より上りリンクトラフィックデータと上りリンク制御データ、ランダムアクセス処理部１０６からランダムアクセスデータとが入力される。符号部１０７は送信制御情報に従い、各データを適切に符号化し、変調部１０８に出力する。変調部１０８は、符号部１０７からの入力を変調する。
【００７５】
送信部１０９は、変調部１０８の出力を周波数領域にマッピングすると共に、周波数領域の信号を時間領域の信号へ変換し、既定の周波数の搬送波にのせて電力増幅を行なうと共に送信する。上りリンク制御データが配置される上りリンクデータチャネルは、典型的にはレイヤ３メッセージ（無線リソース制御メッセージ（ＲＲＣメッセージ））を構成する。また、ランダムアクセス処理部１０６および測定処理部１０４は、移動局装置１のＭＡＣの機能の一部を実現する。図１において、その他の移動局装置１の構成要素は本実施形態に関係ないため省略する。
【００７６】
図２は、本発明の実施形態による基地局装置２の一例を示すブロック図である。本基地局装置２は、受信部２０１、復調部２０２、復号部２０３、制御部２０４、符号部２０５、変調部２０６、送信部２０７、ネットワーク信号処理部２０８、周辺情報管理部２０９、上位レイヤ２１０から構成される。
【００７７】
上位レイヤ２１０は、下りリンクトラフィックデータと下りリンク制御データを符号部２０５へ出力する。符号部２０５は、入力された各データを符号化し、変調部２０６へ出力する。変調部２０６は、符号化した信号の変調を行なう。また、変調部２０６において、変調された信号に対して下りリンクリファレンスシグナルが多重され、周波数領域にマッピングされる。送信部２０７は、変調部２０６から出力された周波数領域の信号を時間領域の信号へ変換し、変換した信号を既定の周波数の搬送波にのせて電力増幅を行なうと共に送信する。下りリンク制御データが配置される下りリンクデータチャネルは、典型的にはレイヤ３メッセージ（ＲＲＣメッセージ）を構成する。
【００７８】
また、受信部２０１は、移動局装置１からの受信信号をベースバンドのディジタル信号に変換する。ディジタル信号は、復調部２０２へ入力されて復調される。復調部２０２で復調された信号は続いて復号部２０３へ入力されて復号される。復号部２０３は、受信信号を上りリンクトラフィックデータと上りリンク制御データに適切に分離し、それぞれ上位レイヤ２１０へ出力する。
【００７９】
これら各ブロックの制御に必要な基地局装置制御情報は、上位レイヤ２１０より制御部２０４へ入力され、制御部２０４より送信に関連する基地局装置制御情報は送信制御情報として、符号部２０５、変調部２０６、送信部２０７の各ブロックに、受信に関連する基地局装置制御情報は受信制御情報として、受信部２０１、復調部２０２、復号部２０３の各ブロックに適切に入力される。
【００８０】
一方、ネットワーク信号処理部２０８は、基地局装置２間あるいは制御局装置（またはゲートウェイ装置）と基地局装置２との間の制御メッセージの送信または受信を行なう。制御メッセージはネットワーク回線を経由して送受信される。ただし、基地局装置２がリレー局装置である場合、無線で送受信されることもあり得る。周辺情報管理部２０９は、送信先または送信元の基地局装置２（または制御局装置、ゲートウェイ装置）を特定するためのネットワーク情報を管理する。ネットワーク情報は、例えばトラッキングエリア識別子（TAI）、セルグローバル識別子（CGI）、セル識別子（PCI）、ネットワークカラーコード、インターネットプロトコルアドレス（ＩＰアドレス）などの各装置のネットワーク上でのアドレスを特定可能な情報から構成される。
【００８１】
周辺情報管理部２０９は、必要に応じてネットワーク信号処理部２０８にネットワーク情報を提供する。ネットワーク信号処理部２０８と周辺情報管理部２０９は上位レイヤが管理する。基地局装置２のＲＲＣは、上位レイヤ２１０の一部として存在する。図２において、その他の基地局装置２の構成要素は本実施形態に関係ないため省略する。
【００８２】
続いて、本実施形態の移動局装置１がセカンダリセルにおいて物理レイヤ問題を検出した場合の無線リンクの制御方法について、図３を用いて説明を行なう。プライマリセルの物理レイヤ問題の検出方法は、図６と同じで良い。すなわち、プライマリセルにおける無線リンク障害はＲＲＣで検出され、無線リンク障害が検出された場合、移動局装置１は無線リンク再確立手順を開始する。
【００８３】
図３の無線送信制御方法の特徴は、（１）移動局装置１がプライマリセルとセカンダリセルとで無線リンク障害の検出を異なるレイヤで検出すること、（２）セカンダリセルにおける無線リンク障害（セカンダリセル障害）の検出はＭＡＣで検出されること、（３）セカンダリセル障害を検出しても再接続を行わないで通信を継続すること、（４）ＭＡＣでセカンダリセル障害を検出した場合に当該セカンダリセルの上りリンク送信を停止すること、（５）ＭＡＣでセカンダリセル回復を検出した場合に当該セカンダリセルの上りリンク送信を再開すること、（６）ＭＡＣでセカンダリセル障害を検出するためのパラメータがＲＲＣから設定されること、（７）ＭＡＣのセカンダリセル障害の検出とプライマリセルの無線リンク障害の検出とで共通の制御方法を用いること、である。
【００８４】
図３は、移動局装置１で検出された同期判定用情報に関するレイヤ間の制御の関係と、移動局装置１が管理するセカンダリセルの下りリンク無線リンク状態（セカンダリセル下りリンク無線リンク状態）と、各セカンダリセル下りリンク無線リンク状態における移動局装置１の動作の違いについて説明するための図である。図３における通知Ａおよび通知Ｂとは、測定処理部１０４において出力される同期判定用情報である。本図の説明に用いる後述する各種パラメータ（閾値、連続検出回数、タイマーなど）は、基地局装置２から移動局装置毎、またはセカンダリセル毎に設定される。移動局装置１は、プライマリセルに設定された各種パラメータをセカンダリセルに流用しても良い。
【００８５】
通知Ａは、セカンダリセルの受信品質と下りリンク同期通知の検出に用いる閾値（Ｑｉｎとも呼ばれる）とを比較することで得られる指示情報であり、品質が良好であることを示す。一方、通知Ｂは、セカンダリセルの受信品質と下りリンク同期誤り通知の検出に用いる閾値（Ｑｏｕｔとも呼ばれる）とを比較することで得られる指示情報（Indication）であり、品質が劣化していることを示す。同期判定用情報（通知Ａ、通知Ｂ）は、上位レイヤ１１０へ出力される。
【００８６】
また、本実施形態の変形例として、通知Ａと通知Ｂは物理レイヤからＭＡＣへ通知されるＰＨＲを用いることができる。つまり、通知Ａは、セカンダリセルの上りリンクにおける予想送信電力と最大送信電力との差が大きい場合（例えば３ｄＢより大きい）を示す。一方、通知Ｂは、セカンダリセルの上りリンクにおける予想送信電力と最大送信電力との差が小さい場合（例えば３ｄＢ以内）を示す。同期判定用情報（通知Ａ、通知Ｂ）は、上位レイヤ１１０へ出力される。
【００８７】
予想送信電力と最大送信電力との差は、最大送信電力（Ｐｍａｘ）またはセカンダリセルの最大送信電力（Ｐｃｍａｘ）から、パスロスと送信リソースに応じたオフセット値などを加えた値との差から計算され、その詳細は３ＧＰＰの技術仕様書であるＴＳ３６．２１３に記載される。移動局装置１がＰＨＲを計算する際に最大送信電力（Ｐｍａｘ）またはセカンダリセルの最大送信電力（Ｐｃｍａｘ）のどちらを使うかは、基地局装置２から指定される。このとき、計算したＰＨＲが通知Ａであるか通知Ｂであるかを判定するのは、物理レイヤではなくＭＡＣであることに注意する。つまり、物理レイヤはＰＨＲを計算してＭＡＣへ通知するのみであり、ＭＡＣが通知されるＰＨＲの値を実際に報告される符号化した値へとマッピングを行う。マッピングする値の範囲は例えば０〜６３である。
【００８８】
そして、ＰＨＲを符号化した値と閾値とを比較することで、ＰＨＲが通知Ａか通知Ｂのいずれであるかを判定する。判定に使用する閾値は基地局装置２から報知情報や個別のメッセージでセル毎（セカンダリセル毎）に指定されていても良いし、移動局装置１毎に個別に指定されても良いし、移動局装置１が独自に決定しても良いし、最大送信電力から一定の電力差（例えば３ｄＢ）がシステムパラメータとして一意に決められていても良い。
【００８９】
また、本実施形態の別の変形例として、通知Ａと通知Ｂは物理レイヤからＭＡＣへ通知されるＣＱＩのｉｎｄｅｘを用いることができる。つまり、通知Ａは、セカンダリセルの下りリンクにおけるＣＱＩのｉｎｄｅｘが所定の閾値よりも大きい場合（例えば閾値が５であれば、ＣＱＩ  ｉｎｄｅｘ＞６）を示し、下りリンクの品質が比較的良好な状態において検出される。一方、通知Ｂは、セカンダリセルの下りリンクにおけるＣＱＩのｉｎｄｅｘが所定の閾値よりも小さい場合（例えば閾値が５であれば、ＣＱＩ  ｉｎｄｅｘ＝０〜４）を示し、下りリンクの品質が比較的劣悪な状態である。同期判定用情報（通知Ａ、通知Ｂ）は、上位レイヤ１１０へ出力される。
【００９０】
ＣＱＩ  ｉｎｄｅｘは、下りリンクの受信品質と、当該受信品質においてＣＱＩ  ｉｎｄｅｘで指定されるブロックサイズと変調方式から予測（予想、推定）されるブロック誤り率（ＢＬＥＲ）から計算され、その詳細は３ＧＰＰの技術仕様書であるＴＳ３６．２１３に記載される。このとき、計算したＣＱＩ  ｉｎｄｅｘが通知Ａであるか通知Ｂであるかを判定するのは、物理レイヤではなくＭＡＣであることに注意する。
【００９１】
つまり、物理レイヤはＣＱＩ  ｉｎｄｅｘを計算してＭＡＣへ通知するのみであり、ＭＡＣが通知されるＣＱＩ  ｉｎｄｅｘの値と所定の閾値とを比較することで、ＣＱＩ  ｉｎｄｅｘが通知Ａか通知Ｂのいずれであるかを判定する。判定に使用する閾値は基地局装置２から報知情報や個別のメッセージでセル毎（セカンダリセル毎）に指定されていても良いし、移動局装置１毎に個別に指定されても良いし、移動局装置１が独自に決定しても良いし、固定的な値（例えばＣＱＩ  ｉｎｄｅｘ＝５）がシステムパラメータとして一意に決められていても良い。基地局装置２は、移動局装置１のＭＡＣが同期判定用情報に何を用いるかを指定してもよい。
【００９２】
図３に戻り、移動局装置１のＭＡＣは、物理レイヤから通知されるセカンダリセル毎の同期判定用情報が通知Ａのみの区間（最初の区間Ａ）では、セカンダリセルの送信制御に関しては特別な制御を行う必要はない。区間Ａにおいて、物理レイヤから通知される同期判定用情報として通知Ｂを検出した場合、移動局装置１のＭＡＣは、区間Ｂの制御を開始する。区間Ｂとは、図６における区間Ｂと同様の制御が必要な区間であり、具体的には、通知ＢがＭＡＣで一回以上検出されているが、後述する同期保護タイマーが起動していない状態を示す。移動局装置１のＭＡＣは、区間Ｂにおいて通知Ｂの連続検出回数をカウントする。移動局装置１のＭＡＣは、区間Ｂで通知Ａが一度でも検出されたときは区間Ａの制御へと動作を変更する。そして、区間Ｂにおいて一定回数連続して通知Ｂが検出された、または一定時間内に検出された同期判定用情報がすべて通知Ｂであったとき、無線リンク問題（物理レイヤ問題）が検出されたと判定し、区間Ｃの制御へと動作を変更する。なお、通知Ｂの連続検出回数を１回として、区間Ｂの制御をスキップすることも可能である。
【００９３】
区間Ｃとは、図６における区間Ｃと同様の制御が必要な区間であり、移動局装置１のＭＡＣは、区間Ｃにおいて、区間Ｃの長さを計時するタイマー（同期保護タイマー）を開始し、当該タイマーが満了するまでに通知Ａが所定回数連続して検出された、または一定時間内に検出された同期判定用情報がすべて通知Ａであった場合、区間Ｃの制御を停止し、区間Ａの制御を実行する。一方、移動局装置１のＭＡＣは、同期保護タイマーが満了した場合は区間Ｅの制御を実行する。
【００９４】
区間Ｅでは、移動局装置１のＭＡＣは、セカンダリセル障害（Ｓｅｃｏｎｄａｒｙ  Ｃｅｌｌ  ｆａｉｌｕｒｅ）が検出されたと判定し、当該セカンダリセルの上りリンクの送信を停止する（ＴｘＯｆｆ設定）。すなわち、物理上りリンク制御チャネル、物理上りリンク共用チャネル、上りリンクリファレンスシグナルの送信を当該区間Ｅで停止する。上りリンクの送信の停止は、ＲＲＣに通知されずに、ＭＡＣから物理レイヤへと通知される。
【００９５】
また、移動局装置１のＭＡＣは、区間Ｅにおいて通知Ａが検出されたか否かを監視する。通知Ａが一度でも検出された場合、区間Ｆの制御を行うように変更する。移動局装置１のＭＡＣは、区間Ｆにおいて通知Ａの連続検出回数をカウントする。移動局装置１のＭＡＣは、区間Ｆで通知Ｂが一度でも検出されたときは区間Ｅの制御へと動作を変更する。そして、区間Ｆにおいて一定回数連続して通知Ａが検出された、または一定時間内に検出された同期判定用情報がすべて通知Ａであったとき、セカンダリセル回復（Ｓｅｃｏｎｄａｒｙ  Ｃｅｌｌ  ｒｅｃｏｖｅｒｙ）が検出されたと判定し、上りリンクの送信を再開させる（ＴｘＯｎ設定）と共に区間Ａの制御へと動作を変更する。なお、通知Ａの連続検出回数を１回として、区間Ｆの制御をスキップすることも可能である。
【００９６】
このように、第１の実施形態によれば、移動局装置１は、物理レイヤからＭＡＣへ通知される情報に基づいてセカンダリセルの無線リンク状態を管理する。物理レイヤからＭＡＣへ通知される情報（同期判定用情報）は、セカンダリセルで測定または計算された下りリンク同期通知または下りリンク同期誤り通知、ＰＨＲ、ＣＱＩ（ＣＱＩ  ｉｎｄｅｘ）のいずれかを用いる。移動局装置１は、物理レイヤからＭＡＣへ通知される同期判定用情報に基づいて、セカンダリセルでの無線リンクの同期判定に関する制御と当該上りリンクにおける送信制御を実施する。同期判定用情報は、所定の閾値と比較することで、セカンダリセルの上りリンク送信の停止に関する情報と停止された上りリンク送信の再開に関する情報の２種類に区別される。また、基地局装置２は、移動局装置１に対して必要なパラメータを設定する。
【００９７】
以上のように、移動局装置１は、セカンダリセルの無線リンク障害をプライマリセルと同様に検出することが可能となり、不要な干渉電波の発生が防止できる。セカンダリセルの無線リンク障害の検出、およびその回復の検出はＭＡＣで実施されるため、移動局装置１のＲＲＣはプライマリセルの無線リンク障害の検出のみを行えばよく、当該機能を移動局装置１が実現するために必要な追加の制御を最小限にすることができる。また、セカンダリセルが設定されていないときは、従来の移動局装置１と同様の制御を行えばよいため、制御が簡単になる。また、プライマリセルとセカンダリセルとで、無線リンク障害の検出方法が共通の制御であるため、移動局装置１の構成を簡略化することができる。また、基地局装置２は、セカンダリセル毎にパラメータを設定することによって、セカンダリセル毎に個別の無線リンク制御を移動局装置１へ実行させることが可能となり、移動局装置１の無線送信制御方法をセル毎に柔軟に設定できる。
【００９８】
＜第２の実施形態＞
本発明の第２の実施形態について以下に説明する。本実施形態は、キャリア・アグリゲーション中の移動局装置１がセカンダリセルの無線送信制御を効率的に行う別の方法に関する。本実施形態に用いる移動局装置１と基地局装置２の構成は、それぞれ図１と図２と同じ構成で良いため説明を省略する。
【００９９】
本実施形態の移動局装置１がセカンダリセルにおいて物理レイヤ問題を検出した場合の無線リンクの制御方法について、図４を用いて説明を行なう。プライマリセルの物理レイヤ問題の検出方法は、図６と同じで良い。すなわち、プライマリセルにおける無線リンク障害はＲＲＣで検出され、無線リンク障害が検出された場合、移動局装置１は無線リンク再確立手順を開始する。
【０１００】
図４の無線送信制御方法の特徴は、（１）移動局装置１がプライマリセルとセカンダリセルとで無線リンク障害の検出を異なるレイヤで検出すること、（２）セカンダリセル障害はＭＡＣで検出されること、（３）セカンダリセル障害を検出しても再接続を行わないで通信を継続すること、（４）ＭＡＣでセカンダリセル障害を検出した場合に当該セカンダリセルの上りリンク送信を停止すること、（５）ＭＡＣでセカンダリセル回復を検出した場合に当該セカンダリセルの上りリンク送信を再開すること、（６）ＭＡＣでセカンダリセル障害を検出するためのパラメータがＲＲＣから設定されること、（７）ＭＡＣのセカンダリセル障害の検出とその回復の検出は所定の測定時間内に通知された同期判定用情報に基づくこと、である。
【０１０１】
図４は、移動局装置１で検出された同期判定用情報に関するレイヤ間の制御の関係と、移動局装置１が管理するセカンダリセルの下りリンク無線リンク状態（セカンダリセル下りリンク無線リンク状態）と、各セカンダリセル下りリンク無線リンク状態における移動局装置１の動作の違いについて説明するための図である。図４における通知Ａおよび通知Ｂとは、測定処理部１０４において出力される同期判定用情報であり、実施形態１の図３で示した同期判定用情報のいずれかを用いることができる。基地局装置２は、移動局装置１のＭＡＣが同期判定用情報に何を用いるかを指定してもよい。本図の説明に用いる後述する各種パラメータ（測定時間、閾値、連続検出回数など）は、基地局装置２から移動局装置毎、またはセカンダリセル毎に設定される。移動局装置１は、プライマリセルに設定された各種パラメータをセカンダリセルに流用しても良い。
【０１０２】
移動局装置１のＭＡＣは、物理レイヤから通知されるセカンダリセル毎の同期判定用情報について、測定時間Ｔ内において通知Ａと通知Ｂとがそれぞれ何回通知されるかをカウントし、カウント結果に基づいて次の測定時間Ｔにおけるセカンダリセルの無線送信制御を決定する。図４の例では、測定時間Ｔ内で同期判定用情報が５回通知される場合を示している。移動局装置１のＭＡＣは、測定時間Ｔで通知された同期判定用情報に従って、次の測定時間Ｔにおける上りリンクの送信の停止（ＴｘＯｆｆ設定）または上りリンクの送信の再開（ＴｘＯｎ設定）をセカンダリセルに対して設定する。
【０１０３】
上りリンクの送信の停止の判断（検出条件）には、以下に示す方法のいずれかを用いることが可能である。（１）測定時間Ｔ内における通知Ｂの回数が通知Ａよりも多い、（２）通知Ａの回数が所定の閾値よりも多い、（３）測定時間Ｔ内の同期判定用情報がすべて通知Ｂである、などである。なお、移動局装置１は、上記１〜３の条件を数回満たしたときに上りリンクの送信の停止を行うように構成されていても良い。
【０１０４】
一方、上りリンクの送信の再開の判断（回復条件）には、以下に示す方法のいずれかを用いることが可能である。（１）測定時間Ｔ内における通知Ａの回数が通知Ｂよりも多い、（２）通知Ａの回数が所定の閾値よりも多い、（３）測定時間Ｔ内の同期判定用情報がすべて通知Ａである、などである。なお、移動局装置１は、上記１〜３の条件を数回満たしたときに上りリンクの送信の再開を行うように構成されていても良い。移動局装置１は、上記条件を満たした場合であっても、セカンダリセル障害を検出したこと基づく上りリンクの送信の停止でなければ再開を行う必要はない。
【０１０５】
図４は、上りリンクの送信の停止と再開の方法として、上記２の条件を適用した場合の例を示している。時間Ｔ１〜Ｔ２において、各測定時間Ｔでの通知Ａの回数が通知Ｂよりも多いため、次の測定時間Ｔ（時間Ｔ２および時間Ｔ３）では、ＴｘＯｎが設定されている。一方、時間Ｔ３では、通知Ａの回数が通知Ｂよりも少ないため、次の測定時間Ｔ（時間Ｔ４）では、ＴｘＯｆｆが設定されている。
【０１０６】
このように、第２の実施形態によれば、移動局装置１は、物理レイヤからＭＡＣへ通知される情報に基づいてセカンダリセルの無線リンク状態を管理する。物理レイヤからＭＡＣへ通知される情報（同期判定用情報）は、セカンダリセルで測定または計算された下りリンク同期通知または下りリンク同期誤り通知、ＰＨＲ、ＣＱＩ（ＣＱＩ  ｉｎｄｅｘ）のいずれかを用いる。移動局装置１は、所定の周期時間内に物理レイヤからＭＡＣへ通知される同期判定用情報に基づいて、セカンダリセルでの無線リンクの同期判定に関する制御と当該上りリンクにおける送信制御を実施する。同期判定用情報は、所定の閾値と比較することで、セカンダリセルの上りリンク送信の停止に関する情報と停止された上りリンク送信の再開に関する情報の２種類に区別される。また、基地局装置２は、移動局装置１に対して必要なパラメータを設定する。
【０１０７】
以上のように、移動局装置１は、セカンダリセルの無線リンク障害をプライマリセルと同様に検出することが可能となり、不要な干渉電波の発生が防止できる。セカンダリセルの無線リンク障害の検出、およびその回復の検出はＭＡＣで実施されるため、移動局装置１のＲＲＣはプライマリセルの無線リンク障害の検出のみを行えばよく、当該機能を移動局装置１が実現するために必要な追加の制御を最小限にすることができる。また、セカンダリセルが設定されていないときは、従来の移動局装置１と同様の制御を行えばよいため、制御が簡単になる。また、セカンダリセルの無線リンク障害の検出方法は周期的に毎回実施されるため、移動局装置１はＴｘＯｎまたはＴｘＯｆｆを所定の時間間隔で周期的に設定するのみで、タイマーや連続検出回数などのパラメータなどが不要であり、移動局装置１の構成を簡略化することができる。また、基地局装置２は、セカンダリセル毎にパラメータを設定することによって、セカンダリセル毎に個別の無線リンク制御を移動局装置１へ実行させることが可能となり、移動局装置１の無線送信制御方法をセル毎に柔軟に設定できる。
【０１０８】
＜第３の実施形態＞
本発明の第３の実施形態について以下に説明する。本実施形態は、キャリア・アグリゲーション中の移動局装置１がセカンダリセルの無線送信制御を効率的に行う別の方法に関する。本実施形態に用いる移動局装置１と基地局装置２の構成は、それぞれ図１と図２と同じ構成で良いため説明を省略する。
【０１０９】
本実施形態の移動局装置１がセカンダリセルにおいて物理レイヤ問題を検出した場合の無線リンクの制御方法について、図５を用いて説明を行なう。プライマリセルの物理レイヤ問題の検出方法は、図６と同じで良い。すなわち、プライマリセルにおける無線リンク障害はＲＲＣで検出され、無線リンク障害が検出された場合、移動局装置１は無線リンク再確立手順を開始する。
【０１１０】
図５の無線送信制御方法の特徴は、（１）移動局装置１がプライマリセルとセカンダリセルとで無線リンク障害の検出を異なるレイヤで検出すること、（２）セカンダリセル障害はＭＡＣで検出されること、（３）セカンダリセル障害を検出しても再接続を行わないで通信を継続すること、（４）ＭＡＣでセカンダリセル障害を検出した場合に当該セカンダリセルの上りリンク送信を停止すること、（５）ＭＡＣでセカンダリセル回復を検出した場合に当該セカンダリセルの上りリンク送信を再開すること、（６）ＭＡＣでセカンダリセル障害を検出するためのパラメータがＲＲＣから設定されること、（７）ＭＡＣのセカンダリセル障害の検出とその回復の検出は通知された同一の同期判定用情報の連続検出回数に基づくこと、である。
【０１１１】
図５は、移動局装置１で検出された同期判定用情報に関するレイヤ間の制御の関係と、移動局装置１が管理するセカンダリセルの下りリンク無線リンク状態（セカンダリセル下りリンク無線リンク状態）と、各セカンダリセル下りリンク無線リンク状態における移動局装置１の動作の違いについて説明するための図である。図５における通知Ａおよび通知Ｂとは、測定処理部１０４において出力される同期判定用情報であり、実施形態１の図３で示した同期判定用情報のいずれかを用いることができる。本図の説明に用いる後述する各種パラメータ（閾値、連続検出回数など）は、基地局装置２から移動局装置毎、またはセカンダリセル毎に設定される。移動局装置１は、プライマリセルに設定された各種パラメータをセカンダリセルに流用しても良い。
【０１１２】
移動局装置１のＭＡＣは、物理レイヤから通知されるセカンダリセル毎の同期判定用情報について、通知Ａと通知Ｂのどちらか一方が連続して通知された場合にカウントを開始し、カウント結果に基づいて次の測定時間Ｔにおけるセカンダリセルの無線送信制御を決定する。図５の例では、無線送信制御方法として、通知Ｂが４回連続された場合（ｍ＝４）に上りリンクの送信の停止（ＴｘＯｆｆ設定）が検出条件として設定され、通知Ａが３回連続して通知された場合（ｎ＝３）に上りリンクの送信の再開（ＴｘＯｎ設定）が回復条件として設定されている。ここで、上記ｍやｎの値は連続検出回数の必要回数を示すパラメータであり、上記検出条件または回復条件の判定に使用する。移動局装置１は、上記回復条件を満たした場合であっても、セカンダリセル障害の検出に基づく上りリンクの送信の停止でなければ再開を行う必要はない。
【０１１３】
このように、第３の実施形態によれば、移動局装置１は、物理レイヤからＭＡＣへ通知される情報に基づいてセカンダリセルの無線リンク状態を管理する。物理レイヤからＭＡＣへ通知される情報（同期判定用情報）は、セカンダリセルで測定または計算された下りリンク同期通知または下りリンク同期誤り通知、ＰＨＲ、ＣＱＩ（ＣＱＩ  ｉｎｄｅｘ）のいずれかを用いる。移動局装置１は、物理レイヤからＭＡＣへ通知される同期判定用情報の連続回数に基づいて、セカンダリセルでの無線リンクの同期判定に関する制御と当該上りリンクにおける送信制御を実施する。同期判定用情報は、所定の閾値と比較することで、セカンダリセルの上りリンク送信の停止に関する情報と停止された上りリンク送信の再開に関する情報の２種類に区別される。また、基地局装置２は、移動局装置１に対して必要なパラメータを設定する。
【０１１４】
以上のように、移動局装置１は、セカンダリセルの無線リンク障害をプライマリセルと同様に検出することが可能となり、不要な干渉電波の発生が防止できる。セカンダリセルの無線リンク障害の検出、およびその回復の検出はＭＡＣで実施されるため、移動局装置１のＲＲＣはプライマリセルの無線リンク障害の検出のみを行えばよく、当該機能を移動局装置１が実現するために必要な追加の制御を最小限にすることができる。また、セカンダリセルが設定されていないときは、従来の移動局装置１と同様の制御を行えばよいため、制御が簡単になる。また、セカンダリセルの無線リンク障害の検出方法は閾値と連続回数との比較結果に基づいてＴｘＯｎまたはＴｘＯｆｆを設定するのみで、移動局装置１の構成を簡略化することができる。また、基地局装置２は、セカンダリセル毎にパラメータを設定することによって、セカンダリセル毎に個別の無線リンク制御を移動局装置１へ実行させることが可能となり、移動局装置１の無線送信制御方法をセル毎に柔軟に設定できる。
【０１１５】
なお、以上説明した実施形態は単なる例示に過ぎず、様々な変形例、置換例を用いて実現することができる。例えば、本上りリンク送信方式は、ＦＤＤ（周波数分割復信）方式とＴＤＤ（時分割復信）方式のどちらの通信システムに対しても適用可能である。
【０１１６】
また、説明の便宜上、実施形態の移動局装置１および基地局装置２を機能的なブロック図を用いて説明したが、移動局装置１および基地局装置２の各部の機能またはこれらの機能の一部を実現するためのプログラムをコンピュータ読み取り可能な記録媒体に記録して、この記録媒体に記録されたプログラムをコンピュータシステムに読み込ませ、実行することにより移動局装置や基地局装置の制御を行なっても良い。なお、ここでいう「コンピュータシステム」とは、ＯＳや周辺機器等のハードウェアを含むものとする。
【０１１７】
また、「コンピュータ読み取り可能な記録媒体」とは、半導体媒体（例えば、ＲＡＭ、不揮発性メモリカード等）、光記録媒体（例えば、DVD、MO、MD、CD、BD等）、磁気記録媒体（例えば、磁気テープ、フレキシブルディスク等）等の可搬媒体、コンピュータシステムに内蔵されるディスクユニット等の記憶装置のことをいう。さらに、「コンピュータ読み取り可能な記録媒体」とは、インターネット等のネットワークや電話回線等の通信回線を介してプログラムを送信する場合の通信線のように、短時間の間、動的にプログラムを保持するもの、その場合のサーバやクライアントとなるコンピュータシステム内部の揮発性メモリのように、一定時間プログラムを保持しているものも含むものとする。また上記プログラムは、前述した機能の一部を実現するためのものであっても良く、さらに、前述した機能をコンピュータシステムに既に記録されているプログラムとの組み合わせで実現できるものであっても良い。
【０１１８】
また、上記各実施形態に用いた移動局装置１および基地局装置２の各機能ブロック、または諸特徴は、典型的には集積回路であるＬＳＩを含む回路内で構成されてもよい。その場合、ＬＳＩの集積密度はどのような密度で実現されていても良い。各機能ブロックおよび諸特徴は個別にチップ化してもよいし、一部または全部を集積してチップ化してもよい。また、集積回路化の手法はＬＳＩに限らず専用回路または汎用プロセッサで実現しても良い。また、半導体技術の進歩によりＬＳＩに代替する集積回路化の技術が出現した場合、当該技術による集積回路を用いることも可能である。
【０１１９】
以上、この発明の実施形態について特定の具体例に基づいて詳述してきたが、本発明の趣旨ならびに特許請求の範囲は、これら特定の具体例に限定されないことは明らかである。すなわち、本明細書の記載は例示説明を目的としたものであり、本発明に対して何ら制限を加えるものではない。
【符号の説明】
【０１２０】
１…移動局装置
２…基地局装置
１１〜１３…送信装置
１０１、２０１…受信部
１０２、２０２…復調部
１０３、２０３…復号部
１０４…測定処理部
１０５、２０４…制御部
１０６…ランダムアクセス処理部
１０７、２０５…符号部
１０８、２０６…変調部
１０９、２０７…送信部
１１０、２１０…上位レイヤ
２０８…ネットワーク信号処理部
２０９…周辺情報管理部
【図１】
2012138657.tif 000003
【図２】
2012138657.tif 000004
【図３】
2012138657.tif 000005
【図４】
2012138657.tif 000006
【図５】
2012138657.tif 000007
【図６】
2012138657.tif 000008
【図７】
2012138657.tif 000009
【図８】
2012138657.tif 000010
【図９】
2012138657.tif 000011